(57)【特許請求の範囲】
【請求項１】
椅子の背凭れ部の背面側に設けられ、前記椅子の後席の所定範囲に対して光を照射する照明装置であって、
前記背凭れ部に固定されるベース部材と、
前記ベース部材に対し、移動可能且つ所定位置で位置決め固定可能な状態で取り付けられる支持部材と、
前記支持部材に固定されることで該支持部材に伴って移動可能且つ位置決め固定可能な光源と、
前記ベース部材及び前記背凭れ部の少なくとも一方に固定されて前記光源を収納すると共に、該光源からの光を通過させる照射孔が設けられたカバー部材と、
を備え、
前記光源は、少なくとも１つの点光源によって構成されると共に、前記ベース部材及び前記カバー部材に対して所定の仮想平面内で移動可能且つ位置決め固定可能であることを特徴とする照明装置。
【請求項２】
請求項１記載の照明装置において、
前記仮想平面は、前記背凭れ部又は前記ベース部材に沿った平面であることを特徴とする照明装置。
【請求項３】
請求項１又は２記載の照明装置において、
前記ベース部材は、薄板であり、
前記支持部材は、前記ベース部材の表面上で上下方向又は左右方向に移動可能且つ位置決め固定可能な第１部材と、該第１部材の表面上で左右方向又は上下方向に移動可能且つ位置決め固定可能な第２部材とを備え、
前記第２部材に前記光源が固定されることを特徴とする照明装置。
【請求項４】
請求項１〜３のいずれか１項に記載の照明装置において、
前記カバー部材には、前記照射孔に並んで前記光源の電源スイッチが設置され、
当該照明装置は、前記カバー部材の外面と、該外面に形成される照射孔及び電源スイッチとが外部に露出した状態で前記背凭れ部に埋設されることを特徴とする照明装置。
【請求項５】
後席の所定範囲に対して光を照射する照明装置を背凭れ部の背面側に設けた照明装置付き椅子であって、
前記照明装置は、前記背凭れ部に固定されるベース部材と、
前記ベース部材に対し、移動可能且つ所定位置で位置決め固定可能な状態で取り付けられる支持部材と、
前記支持部材に固定されることで該支持部材に伴って移動可能且つ位置決め固定可能な光源と、
前記ベース部材及び前記背凭れ部の少なくとも一方に固定されて前記光源を収納すると共に、該光源からの光を通過させる照射孔が設けられたカバー部材と、
を備え、
前記光源は、少なくとも１つの点光源によって構成されると共に、前記ベース部材及び前記カバー部材に対して所定の仮想平面内で移動可能且つ位置決め固定可能であることを特徴とする照明装置付き椅子。
【発明の詳細な説明】
【技術分野】
【０００１】
本発明は、椅子の背凭れ部の背面側から後席の所定範囲に対して光を照射する照明装置、及び該照明装置を備えた照明装置付き椅子に関する。
【背景技術】
【０００２】
多目的ホールや学校の講堂等に設置される椅子には、プロジェクター等の使用時に会場内が消灯された場合であっても、着席者がメモをとったり本を見たりすることができるように、手元を照らす照明装置が設置されることがある。
【０００３】
このような照明装置では、着席者がメモとりや読書等を不自由なく行うことでき、しかも着席者や周囲の者に対してまぶしさを感じさせることがない照射範囲を備える必要がある。
【０００４】
そこで、特許文献１には、ホール内に設置された椅子の背凭れ部の背面に設けられ、光源である蛍光灯からの光を反射板で斜め下方に照射することにより、後席の肘掛に設置された固定式や可動式のテーブル面上を照明することができる照明装置が開示されている。また、特許文献２には、椅子の背凭れ部の背面に出没自在に設けられ、出現した状態で光源である蛍光灯からの光を反射板によって斜め下方に照射して後席の手元を照らすことができる照明装置が開示されている。
【先行技術文献】
【特許文献】
【０００５】
【特許文献１】特開平１０−４３００１号公報
【特許文献２】実開平４−１３１３５２号公報
【発明の概要】
【発明が解決しようとする課題】
【０００６】
ところで、ホール等に設置される椅子は、必ずしも全ての椅子が前後左右に揃って配列されるとは限らず、例えば、前後列が横方向や高さ方向にずれて配列される場合があり、さらに、椅子の取り付け精度等によっても各席の位置関係にずれを生じる場合がある。すなわち、前後列の椅子の位置関係は当該椅子の設置場所や設置条件等によって変化するため、前席背面から後席手元を照らす照明装置の照射範囲は、照明装置毎（椅子毎）に柔軟に調節できることが望ましい。
【０００７】
このような点に関し、先ず、特許文献１には、光源や反射板の配置を変更し、或いは反射板の横方向や縦方向の角度を調節することにより、その照射範囲を変更することが記載されている。
【０００８】
ところが、引用文献１の光源は、カバー部材の開口に設置された透光窓の外形と略同一の外形を有し、反射板も略同様な大きさに設定されている。このため、光源や反射板の配置を変更したとしても、透光窓を通した光の照射位置はほとんど変化することはない。しかも、光源として面光源の蛍光灯を用いていることを考慮すると、位置を変更した際の照射範囲の変化は一層微小なものとなる。つまり、この引用文献１の構成の場合、照射範囲を所望の位置に確実に変更するためには、透光窓自体の位置を椅子の配置によって変更する必要があり、例えば１つのホール内で複数仕様の照明装置及びそれを搭載した椅子を準備する必要があり、生産効率が悪くコストが高い。さらに、反射板の横方向や縦方向の角度を調節するためには、カバー部材の内面との間の干渉を避けるため、その回動範囲に十分なスペースを設ける必要があり、装置自体の大型化を惹起する。
【０００９】
次に、特許文献２には、背板から外部へと回動して出没する扉部材の角度を調節することで照射範囲を上下方向に変更することが記載されているが、特許文献１の構成と同様、その回動範囲に十分なスペースを設ける必要があり、また、照射範囲を左右方向に変化させることについての考慮もない。
【００１０】
本発明は、上記従来技術の課題を考慮してなされたものであり、前後列の椅子の位置関係にずれを生じた場合であっても、装置の大型化やコストの増加を抑制しつつ、その照射範囲を適切に調節することができる照明装置及び照明装置付き椅子を提供することを目的とする。
【課題を解決するための手段】
【００１１】
本発明に係る照明装置は、椅子の背凭れ部の背面側に設けられ、前記椅子の後席の所定範囲に対して光を照射する照明装置であって、前記背凭れ部に固定されるベース部材と、前記ベース部材に対し、移動可能且つ所定位置で位置決め固定可能な状態で取り付けられる支持部材と、前記支持部材に固定されることで該支持部材に伴って移動可能且つ位置決め固定可能な光源と、前記ベース部材及び前記背凭れ部の少なくとも一方に固定されて前記光源を収納すると共に、該光源からの光を通過させる照射孔が設けられたカバー部材とを備え、前記光源は、少なくとも１つの点光源によって構成されると共に、前記ベース部材及び前記カバー部材に対して所定の仮想平面内で移動可能且つ位置決め固定可能であることを特徴とする。
【００１２】
また、本発明に係る照明装置付き椅子は、後席の所定範囲に対して光を照射する照明装置を背凭れ部の背面側に設けた照明装置付き椅子であって、前記照明装置は、前記背凭れ部に固定されるベース部材と、前記ベース部材に対し、移動可能且つ所定位置で位置決め固定可能な状態で取り付けられる支持部材と、前記支持部材に固定されることで該支持部材に伴って移動可能且つ位置決め固定可能な光源と、前記ベース部材及び前記背凭れ部の少なくとも一方に固定されて前記光源を収納すると共に、該光源からの光を通過させる照射孔が設けられたカバー部材とを備え、前記光源は、少なくとも１つの点光源によって構成されると共に、前記ベース部材及び前記カバー部材に対して所定の仮想平面内で移動可能且つ位置決め固定可能であることを特徴とする。
【００１３】
このような構成によれば、少なくとも１つ点光源、例えばＬＥＤによって構成される光源を、背凭れ部に固定されるベース部材及びカバー部材に対し、所定の仮想平面内で移動可能且つ位置決め固定可能な状態で支持部材によって支持することにより、前後列の椅子の位置関係にずれを生じた場合であっても、光源からの光を所望の照射範囲へと適切に調整することができる。しかも、光源の移動範囲（調節範囲）は、仮想平面に沿った領域となるため、支持部材には光源を仮想平面に沿った方向に平行移動させる構成のみが備えられればよく、回動構造等に比べて構造を簡素化でき、小型化及び低コスト化が可能である。さらに、光源が点光源であることから、前記仮想平面に沿った範囲で位置調整された場合にも、その光は、照射孔を通過して円錐状に広がりながら所望の照射範囲へと精度よく到達させることができる。
【００１４】
前記仮想平面は、前記背凭れ部又は前記ベース部材に沿った平面であってもよい。
【００１５】
また、前記ベース部材は、薄板であり、前記支持部材は、前記ベース部材の表面上で上下方向又は左右方向に移動可能且つ位置決め固定可能な第１部材と、該第１部材の表面上で左右方向又は上下方向に移動可能且つ位置決め固定可能な第２部材とを備え、前記第２部材に前記光源が固定されると、仮想平面に沿った光源の移動機構を簡素な構成で実現することができる。
【００１６】
前記カバー部材には、前記照射孔に並んで前記光源の電源スイッチが設置され、当該照明装置は、前記カバー部材の外面と、該外面に形成される照射孔及び電源スイッチとが外部に露出した状態で前記背凭れ部に埋設されてもよい。
【発明の効果】
【００１７】
本発明によれば、少なくとも１つ点光源によって構成される光源を、背凭れ部に固定されるベース部材及びカバー部材に対し、所定の仮想平面内で移動可能且つ位置決め固定可能な状態で支持部材によって支持することにより、前後列の椅子の位置関係にずれを生じた場合であっても、光源からの光を所望の照射範囲へと適切に調整することができる。しかも、光源の調節範囲は、仮想平面に沿った領域となるため、支持部材には光源を仮想平面に沿った方向に平行移動させる構成のみが備えられればよく、回動構造等に比べて構造を簡素化でき、小型化及び低コスト化が可能である。
【図面の簡単な説明】
【００１８】
【図１】図１は、本発明の一実施形態に係る照明装置が設置された照明装置付き椅子の平面図である。
【図２】図２は、図１に示す照明装置付き椅子の一部断面側面図である。
【図３】図３は、照明装置を背板に取り付けた状態を示す説明図であり、図３（Ａ）は、照明装置の側面図であり、図３（Ｂ）は、背板の背面図である。
【図４】図４は、照明装置の構成図であり、図４（Ａ）は、照明装置の正面図であり、図４（Ｂ）は、照明装置の側面断面図である。
【図５】図５は、照明装置の一部切欠分解斜視図である。
【図６】図６は、光源の調節範囲を説明するための説明図である。
【発明を実施するための形態】
【００１９】
以下、本発明に係る照明装置について、この照明装置が設置された椅子との関係で好適な実施の形態を挙げ、添付の図面を参照しながら詳細に説明する。
【００２０】
図１は、本発明の一実施形態に係る照明装置１０が設置された照明装置付き椅子１２の平面図であり、図２は、図１に示す照明装置付き椅子１２の一部断面側面図である。図１及び図２は、多目的ホールや講堂等において多数配列された状照明装置付き椅子１２（以下、単に「椅子１２」ともいう）のうち、所定の前席１２Ｆ及び後席１２Ｒを図示したものである。
【００２１】
図１及び図２に示すように、照明装置１０は、椅子１２（前席１２Ｆ）の背凭れ部１４の背面側に設けられることにより、その後方の椅子１２（後席１２Ｒ）の所定の照射範囲Ｓ（本実施形態では、テーブル１６）に対して光を照射し、着席者の手元を照らすためのスポットライトである。
【００２２】
椅子１２（前席１２Ｆ及び後席１２Ｒ）は、使用者が座るための座部１８と、座部１８への着席者が背中で寄り掛かる部分である背凭れ部１４と、着席者が肘を掛けるための左右一対の肘掛部２０Ｌ、２０Ｒと、一方の肘掛部２０Ｒの前端から突出する可動式（収納式）又は固定式のテーブル１６とを備え、脚部２１によって床面上に固定される。本実施形態では、座部１８をその基端（後端）側を回動軸として跳ね上げ可能な構成を例示しているが、座部１８は固定式のものでもよい。
【００２３】
このような椅子１２において、照明装置１０は、背凭れ部１４の背面を構成する背板２２の孔部２２ａ内に外面（背面）が露出した状態で埋設され、その前面側は背板２２の前方に設置されるクッション部２４によって囲繞される。
【００２４】
以下の説明では、図１及び図２における椅子１０の幅方向をＸ方向（左右方向、横方向）、高さ方向をＹ方向（上下方向）、前後方向をＺ方向と規定する。本実施形態の場合、照明装置１０は背板２２に対して設置されるため、その設置方向は背板２２の延在方向（面方向）に沿った方向となり、必ずしもＸ方向、Ｙ方向及びＺ方向に沿った方向にはならないが、以下では説明の便宜上、背板２２を構成する面の延在方向がＸ方向及びＹ方向に平行するものとする。
【００２５】
図３は、照明装置１０を背板２２に取り付けた状態を示す説明図であり、図３（Ａ）は、照明装置１０の側面図であり、図３（Ｂ）は、背板２２の背面図である。図４は、照明装置１０の構成図であり、図４（Ａ）は、照明装置１０の正面図であり、図４（Ｂ）は、照明装置１０の側面断面図である。また、図５は、照明装置１０の一部切欠分解斜視図である。
【００２６】
図３〜図５に示すように、照明装置１０は、背板２２に固定される矩形薄板状のベースプレート（ベース部材）３０と、ベースプレート３０の背面（後面）に取り付けられる支持部材３２と、支持部材３２に支持される光源部３４と、ベースプレート３０に固定されて光源部３４を収納するカバー部材３６と、光源部３４をＯＮ／ＯＦＦ操作する電源スイッチ３８とを備える。
【００２７】
ベースプレート３０は、上部中央に形成されて幅方向（Ｘ方向）に延びた長孔４０と、長孔４０の左右両側に形成されて上下方向（Ｙ方向）に延びた一対の縦長孔４２、４２と、四隅にそれぞれ形成された取り付け孔４４とを有し、ステンレス鋼等の金属材料や樹脂製材料等によって構成される薄板である。
【００２８】
図３（Ａ）に示すように、背板２２には、例えば前面側から背面側に向かって次第に小さくなる段付きの孔部２２ａが形成されている。ベースプレート３０は、孔部２２ａの最も前面側の大形部に配設され、当該背板２２に対し、取り付け孔４４を通した固定ねじ４６によって固定される。なお、図３（Ａ）では、図面の簡単のため、孔部２２ａの縁部を示す線の一部を省略している。
【００２９】
支持部材３２は、ベースプレート３０の背面側に設けられて光源部３４を支持するためのものであり、ベースプレート３０の背面（表面）上で上下方向に移動可能且つ所定位置で位置決め固定可能なプレート状の第１部材４８と、該第１部材４８の背面（表面）上で左右方向に移動可能且つ所定位置で位置決め固定可能な略三角柱状の第２部材５０とを備え、第２部材５０に光源部３４が固定されている。
【００３０】
第１部材４８は、中央に形成されて幅方向（Ｘ方向）に延びた横長孔５２と、横長孔５２の左右両側に形成された一対のねじ孔５４、５４とを有する。第１部材４８は、ベースプレート３０の各縦長孔４２、４２を介した調整ねじ５５、５５が各ねじ孔５４、５４に螺合されることで当該ベースプレート３０の背面側に固定される。この際、調整ねじ５５とねじ孔５４との締結位置を縦長孔４２の長手方向（上下方向）で変更することにより、ベースプレート３０に対する第１部材４８の上下方向（Ｙ方向）の取り付け位置を適宜調整することができる。
【００３１】
第２部材５０は、第１部材４８側の面である前面５０ａに形成された左右一対のねじ孔５６、５６と、上面から底面の傾斜面５０ｂまで貫通する貫通孔５７とを有し、後方に向かって上昇する傾斜面５０ｂの表面に光源部３４が設置される。第２部材５０は、第１部材４８の横長孔５２を介した調整ねじ５８、５８が各ねじ孔５６、５６に螺合されることで当該第１部材４８の背面側に固定される。この際、調整ねじ５８とねじ孔５６との締結位置を横長孔５２の長手方向（左右方向）で変更することにより、第１部材４８に対する第２部材５０の左右方向（Ｘ方向）の取り付け位置を適宜調整することができる。
【００３２】
このように、支持部材３２は、第１部材４８がベースプレート３０に対して上下方向（Ｙ方向）に移動可能且つ所定位置で位置決め固定可能であると共に、第２部材５０が第１部材４８に対して左右方向（Ｘ方向）に移動可能且つ所定位置で位置決め固定可能に構成されている。
【００３３】
すなわち、図６に示すように、支持部材３２は光源部３４（光源３４ａ）を、背板２２に固定されたベースプレート３０に対して、Ｘ方向及びＹ方向に平行な仮想平面ＸＹ内で移動可能且つ所定位置で位置決め固定可能に支持している。換言すれば、光源部３４（光源３４ａ）の位置は、仮想平面ＸＹに沿った所定の領域Ｒ内で調整可能であり、例えば照射方向Ｌで示す位置以外にも、照射方向Ｌ１、Ｌ２で示す位置等に光源３４ａを移動させて設置することができる（図４（Ｂ）及び図６参照）。この際、ベースプレート３０の長孔４０は、その内部に配置される調整ねじ５８の頂部が、上記のＸ、Ｙ方向への調整時に干渉することがないよう、該頂部の外径とＸ、Ｙ方向への調整量（調整範囲）を考慮した形状に設定される。
【００３４】
次に、光源部３４は、例えば少なくとも１つの点光源である光源３４ａを有する発光ダイオード（ＬＥＤ：Ｌｉｇｈｔ  Ｅｍｉｔｔｉｎｇ  Ｄｉｏｄｅ）光源であり、光源３４ａが設置されるＬＥＤ基板３４ｂが第２部材５０の傾斜面５０ｂに固定されることで、後方斜め下方に向けて光を照射して（図３（Ａ）及び図４（Ｂ）参照）、例えば後席１２Ｒのテーブル１６付近に照射範囲Ｓを設定することができる（図１及び図２参照）。ＬＥＤ基板３４ｂへの配線等は図示しないが、例えば第２部材５０に形成した貫通孔５７を挿通させるとよい。
【００３５】
カバー部材３６は、例えば３本の固定ねじ６０によってベースプレート３０の背面に固定され（図４参照）、大部分が照明装置１０の他の構成要素と共に背板２２の孔部２２ａ内に埋設されると共に、長円形状の外面３６ａ側のみが外部に露出した状態となる（図３参照）。カバー部材３６は、その上部内側に形成された空間内に光源部３４や支持部材３２を収納し、外部から視認できないように覆う部材であり、例えば樹脂製材料によって構成される。カバー部材３６は、ベースプレート３０と一体的に構成してもよい。
【００３６】
なお、カバー部材３６は、固定ねじ６０等によってベースプレート３０に固定する以外の方法で背凭れ部１４に対して固定してもよく、例えば、固定ねじ６０を用いずに、図３中に２点鎖線で示すように、カバー部材３６の上下部位を延出させて一対の取付孔を貫通形成しておき、例えば木ねじからなる固定ねじ６１を前記取付孔を通して背板２２に締結させることで、背板２２（背凭れ部１４）に対して直接的に取り付けてもよい。勿論、カバー部材３６は、上記の固定ねじ６０及び木ねじ６１等を用いて、ベースプレート３０及び背板２２の両方に対して固定するようにしてもよい。そうすると、カバー部材３６が、ベースプレート３０を背板２２に固定するためのブラケットとしても機能するため、ベースプレート３０の背板２２への取り付け剛性を高めることができる。
【００３７】
図４（Ｂ）に示すように、カバー部材３６は、その外面３６ａ上部に、光源３４ａからの光を透過させる窓部材６２を嵌合する照射孔６４が開口形成され、照射孔６４の下部に、電源スイッチ３８を押し込み可能な状態で保持するスイッチ孔６６が開口形成される。また、カバー部材３６の外面３０ａの内側には、環状凹部６８が形成され、該環状凹部６８には当該カバー部材３６の外面３０ａを背板２２の表面に当接させた際のガタツキ等を防止するＯリング等の緩衝部材（図示せず）が配設される。
【００３８】
窓部材６２（照射孔６４）は、上記した仮想平面ＸＹに沿って位置調整がなされる光源３４ａからの光を確実に透過（通過）させるため、光源３４ａよりも大きく形成されると共に、所定の透明度を有する。
【００３９】
つまり、照明装置１０では、窓部材６２（照射孔６４）よりも前方（光の照射方向では後方）に、それよりも小さな光源３４ａが上下左右に調整可能に設けられる。換言すれば、少なくとも光源３４ａからの光の照射方向Ｌ（図４（Ｂ）参照）から見た場合に、光源３４ａの外形が窓部材６２（照射孔６４）の外形よりも小さく設定され、この際、光源３４ａは窓部材６２（照射孔６４）の範囲内に重なる領域内で上下左右に調節可能である。また、本実施形態の場合、光源３４ａからの光の照射方向Ｌは、後方斜め下方に向いているため、光源３４ａは、窓部材６２（照射孔６４）の中心よりも上方にずれた位置でその後方に配置されている。なお、窓部材６２は省略してもよく、この場合には光源３４ａからの光は照射孔６４を直接的に通過することになるが、光源３４ａの保護や照明装置１０の美観等を考慮した場合には窓部材６２を設けることが好ましい。
【００４０】
図３（Ｂ）及び図４（Ｂ）に示すように、電源スイッチ３８は、当該照射装置１０を利用する後席１２Ｒの着席者が操作する丸い押しボタンであり、人手によって押圧操作される操作部３８ａと、操作部３８ａの前方でその押し込み動作によってＯＮ／ＯＦＦされる検出部３８ｂとを有し、検出部３８ｂがベースプレート３０の背面上に固定ねじ７０等によって固定されるスイッチ基板７２上に配設される。操作部３８ａは、検出部３８ｂに設けられた図示しない弾性部材によって外方に突出する方向に付勢されており、該操作部３８ａを押圧操作することにより光源３４ａを点灯（ＯＮ）及び消灯（ＯＦＦ）することができる。
【００４１】
次に、以上のように構成される照明装置１０及び照明装置付き椅子１２の作用効果について説明する。
【００４２】
椅子１２が多数設置される場所、例えば多目的ホールや学校の講堂等では、図１及び図２に示されるように、前席１２Ｆ及び後席１２Ｒのように前後列が左右方向（Ｘ方向）、高さ方向（Ｙ方向）及び前後方向（Ｚ方向）に揃った状態で配列されることもあるが、必ずしも全ての椅子が各方向に揃って配列されるとは限らない。例えば、左右の前席１２Ｆ間に後席１２Ｒが配置されたり、床面が後方に向かって上昇しながら傾斜する会場では前席１２Ｆよりも後席１２Ｒの位置が高くなったりすることもあり、さらには各椅子１２の設置精度によっても前後列で位置ずれを生じることがある。
【００４３】
例えば、図１及び図２中に２点鎖線で示すテーブル１６ａ、１６ｂ、１６ｃ、１６ｄの位置では、前席１２Ｆに対して後席１２ＲがＸ、Ｙ、Ｚ方向のいずれか又は全方向にずれて設置されている。なお、図１及び図２では、図面の簡単のため、椅子１２自体の位置ずれを図示せず、テーブル１６の位置ずれを２点鎖線で図示することによって前席１２Ｆに対する後席１２Ｒの位置ずれを例示している。
【００４４】
そこで、本実施形態に係る照明装置１０では、少なくとも１つの点光源からなる光源３４ａ（例えば、ＬＥＤ光源）を用いると共に、支持部材３２による位置決め調整作用により、光源３４ａの位置を仮想平面ＸＹ内で上下左右に調整して設置できるように構成している（図６参照）。
【００４５】
従って、図１及び図２中のテーブル１６ａ〜１６ｄに示されるように、前席１２Ｆに対して後席１２ＲがＸ、Ｙ、Ｚ方向に位置ずれしている場合であっても、椅子１２の設置時に光源３４ａを仮想平面ＸＹ内で位置調整して取り付けることにより、光源３４ａからの光を各テーブル１６ａ〜１６ｄに対して適切に調整することができる（図１及び図２中に２点鎖線で示す照射範囲Ｓ１、Ｓ２、Ｓ３、Ｓ４を参照）。
【００４６】
しかも、光源３４ａの移動範囲（調節範囲）は、仮想平面ＸＹに沿った領域Ｒとなっている（図６参照）。このため、支持部材３２には光源３４ａをＸ、Ｙ方向にのみ平行移動させる構成が備えられればよく、例えば上記の第１部材４８及び第２部材５０による簡単な構成で実現でき、回動構造等に比べて構造が簡素化され、特に前後方向（Ｚ方向）の寸法も容易に小型化でき、低コスト化も可能となる。
【００４７】
さらに、光源３４ａが点光源であることから、仮想平面ＸＹに沿った範囲で位置調整された場合にも、その光は、窓部材６２（照射孔６４）を通過して円錐状に広がりながら各テーブル１６、１６ａ〜１６ｄ付近に設定される照射範囲Ｓ、Ｓ１〜Ｓ４へと精度よく到達することになる。
【００４８】
一方、上記従来技術では、蛍光灯のような面光源を用いているため、この面光源を仮に上下左右方向に移動させたとしても、その照射範囲の位置はほとんど変化せず、このため、当該従来技術では反射板等に回動機能を付与することで照射方向をある程度調整できるように構成しており、構造が複雑且つ大型なものになっている。
【００４９】
なお、光源３４ａの移動方向である仮想平面ＸＹは、必ずしもＸ方向及びＹ方向に沿った平面でなくてもよく、例えば、背凭れ部１４（背板２２）やベースプレート３０の面に沿った平面であってもよく、要は、光源３４ａの位置調整が所定の仮想平面内での平行移動のみによって行われるものであればよい。
【００５０】
照明装置１０では、窓部材６２（照射孔６４）よりも光源３４ａを小さく構成し、その内側で光源３４ａを移動させるように構成しているため、支持部材３２によって光源３４ａの位置調整を行った場合であっても、図３（Ｂ）に示されるように、その外観は変化せず、当該椅子１２が設置される会場全体の統一性が図られ、会場全体の美観を確保することができる。この際、ベースプレート３０の縦長孔４２の高さ方向（Ｙ方向）距離と第１部材４８の横長孔５２の横方向（Ｘ方向）距離とで、又は調整ねじ５８の頂部寸法と長孔４０の内側寸法とで規定される光源３４ａの移動範囲（調整範囲）内では、光源３４ａからの光Ｌが窓部材６２（照射孔６４）を必ず通過するように構成しておけば、位置決め時に光源３４ａが誤って窓部材６２（照射孔６４）から外れることが阻止され、設置現場でのセッティング作業が一層容易になる。
【００５１】
さらに、照明装置１０では、光源３４ａによる照射範囲Ｓ（Ｓ１〜Ｓ４）を一旦セッティングして椅子１２を設置した後は、着席者は電源スイッチ３８をＯＮ／ＯＦＦするだけで手元の所望の位置を照らすことができるため、操作が簡単であると共に、可動部を持たないことから耐久性も高く、不特定多数が利用するホール等では破損等の防止効果が高く、特に有効である。
【００５２】
なお、本発明は、上記した実施形態に限定されるものではなく、本発明の主旨を逸脱しない範囲で自由に変更できることは勿論である。
【００５３】
例えば、上記実施形態では、図１に示すように、照明装置１０を背板２２の幅方向中央部に設置する構成を例示したが、照明装置１０は前席１２Ｆに対する後席１２Ｒの位置ずれ等に応じて、背板２２の左右側部に寄って設置されても勿論よい。この際、照明装置１０の光源３４ａからの光を、後席１２Ｒのテーブル１６に対して右側から照射するように設定すると（例えば、図１中の照射範囲Ｓ、Ｓ１参照）、後席１２Ｒの着席者がテーブル１６上に置いた自身の右手が影になることを避けることができる。
【符号の説明】
【００５４】
１０  照明装置
１２  椅子
１４  背凭れ部
１６、１６ａ〜１６ｄ  テーブル
２２  背板
３０  ベースプレート
３２  支持部材
３４  光源部
３４ａ  光源
３６  カバー部材
３８  電源スイッチ
４８  第１部材
５０  第２部材
６２  窓部材
６４  照射孔
【図１】
0005712082.tif 000002
【図２】
0005712082.tif 000003
【図３】
0005712082.tif 000004
【図４】
0005712082.tif 000005
【図５】
0005712082.tif 000006
【図６】
0005712082.tif 000007